(57)【要約】【課題】低コストで製造できる口紅用容器またはケースを提供する。【解決手段】透明または半透明の材料からなるとともに、一端側が開口し、他端側が閉塞された筒形状をしており、内部に口紅Ｌを収容する収容体１と、この収容体１の一端側を覆い、両端が閉塞された筒形状をしている閉塞体２とをヒンジ部３を介して接続してなる。【選択図】      図１
2004344572.tif 000002
【特許請求の範囲】
【請求項１】
透明または半透明の材料からなるとともに、一端側が開口し、他端側が閉塞された筒形状をしており、内部に口紅を収容する収容体と、この収容体の一端側を覆い、両端が閉塞された筒形状をしている閉塞体とをヒンジ部を介して接続してなることを特徴とする口紅用容器またはケース。
【請求項２】
透明または半透明の材料からなる中空のブロック状をしており、一側壁に口紅を収容する凹入部が形成されている収容体と、この収容体の一側壁を覆う中空のブロック状をしている閉塞体とをヒンジ部を介して接続してなることを特徴とする口紅用容器またはケース。
【請求項３】
前記凹入部が複数設けられており、また、前記収容体の一側壁またはこの一側壁に対向する前記閉塞体の側壁部に、口紅用ブラシを収容するための収容部が形成されている請求項２に記載の口紅用容器またはケース。
【請求項４】
前記収容体に口紅を注入するため、前記閉塞体に挿通孔を設けてある請求項１〜３のいずれかに記載の口紅用容器またはケース。
【発明の詳細な説明】
【０００１】
【発明の属する技術分野】
本発明は、例えば、試供品あるいは販売品としての口紅を収容する口紅用容器またはケースに関する。
【０００２】
【従来の技術】
従来の口紅用ケースとして、口紅を収容するケース本体と、このケース本体の下側に設けられ、軸まわりに回動自在に設けられた回動部と、前記ケース本体を覆うキャップ体とを備えたものがある。このような構成からなる口紅用ケースでは、前記回動部の回動操作によって、口紅がケース本体から外側に出る方向およびケース本体内に収まる方向に移動するのである。
【０００３】
【発明が解決しようとする課題】
しかし、上記従来の口紅用ケースは、複雑な構成を有していたことから、その製造コストが上昇することとなっていた。
【０００４】
この発明は、上述の事柄に留意してなされたもので、その目的は、低コストで製造できる口紅用容器またはケースを提供することである。
【０００５】
【課題を解決するための手段】
上記目的を達成するために、本発明の口紅用容器またはケースは、透明または半透明の材料からなるとともに、一端側が開口し、他端側が閉塞された筒形状をしており、内部に口紅を収容する収容体と、この収容体の一端側を覆い、両端が閉塞された筒形状をしている閉塞体とをヒンジ部を介して接続してなる（請求項１）。
【０００６】
また、透明または半透明の材料からなる中空のブロック状をしており、一側壁に口紅を収容する凹入部が形成されている収容体と、この収容体の一側壁を覆う中空のブロック状をしている閉塞体とをヒンジ部を介して接続してなるとしてもよい（請求項２）。
【０００７】
上記の構成からなる本発明によれば、低コストで製造できる口紅用容器またはケースを提供することが可能となる。
【０００８】
また、従来の口紅用ケースは、口紅をケース本体内に収容していたのであり、このケース本体にキャップ体を被せてある状態では口紅の色が確認できず、また、キャップを外したとしても、前記回動部を回動操作して口紅を外部に露出させた状態とするまで、口紅の色などの確認が困難であった。さらに、口紅の残量の確認は、前記回動部を回動操作して、口紅が全て外側から見える状態としなければ困難であり、その確認作業に手間がかかることとなっていた。これに対して、本発明の口紅用容器またはケースは、前記収容体を透明または半透明の材料を用いて形成してあることから、前記閉状態としたままで、外部から口紅の色や残量などを確認できるのである。
【０００９】
さらに、前記凹入部が複数設けられており、また、前記収容体の一側壁またはこの一側壁に対向する前記閉塞体の側壁部に、口紅用ブラシを収容するための収容部が形成されているとしてもよい（請求項３）。
【００１０】
この場合には、複数種類の口紅を収容でき、また、口紅を塗布するためのブラシをも収容できることから、機能性・利便性等の面でさらなる向上を図ることが可能となる。
【００１１】
また、前記収容体に口紅を注入するため、前記閉塞体に挿通孔を設けてあるとしてもよい（請求項４）。
【００１２】
この場合には、例えば、前記挿通孔にノズルを挿通させて、このノズルから前記収容体に口紅を注入することが可能となる。
【００１３】
【発明の実施の形態】
以下、本発明の実施の形態を図面に基づいて説明する。
図１（Ａ）および（Ｂ）は、本発明の第一実施例に係る閉状態および開状態の口紅用容器またはケース（以下、ケースという）Ｄの構成を概略的に示す斜視図、図２は、前記ケースＤの構成を概略的に示す縦断面図である。
ケースＤは、内部に口紅Ｌを収容する収容体１と、この収容体１の一端側を覆う閉塞体２とをヒンジ部３を介して接続してなる。
【００１４】
前記収容体１は、透明または半透明の材料（例えば、合成樹脂）からなるとともに、一端側が開口し、他端側が閉塞された筒形状（本実施例ではほぼ円筒形状）をしている。また、前記収容体１の一端側の開口の周縁部には、係止部１ａが設けられている。
【００１５】
前記閉塞体２は、両端が閉塞された筒形状をしており、前記収容体１とは別体に形成されている。本実施例では、閉塞体２は、ほぼ円筒形状をしており、その外径が収容体１の外径よりも大となっている。また、閉塞体２には、前記収容体１の係止部１ａが係止される被係止部２ａを設けてある。
【００１６】
また、前記閉塞体２には、前記収容体１に口紅Ｌを注入するため、上下両端にそれぞれ挿通孔４が設けられている。
【００１７】
なお、前記閉塞体２の外面に、例えば口紅Ｌやそのメーカー等をアピールするための広告などを印刷しておいてもよい。
【００１８】
前記ヒンジ部３は、収容体１の一端側に対して閉塞体２が回動自在となるように構成されており、これにより、閉塞体２が収容体１の開口を覆う閉状態と、開口を覆わない開状態とに自在に切り換えることができるのである。
【００１９】
上記の構成からなるケースＤに対する口紅Ｌの充填作業は以下のようにして行われる。すなわち、まず、図３（Ａ）に示すように、閉塞体２が収容体１の開口を覆う閉状態とし、かつ前記収容体１が下側にくるように配置した状態とする。そして、前記閉塞体２の挿通孔４，４に口紅注入用のノズルＮを挿通させることで、図３（Ｂ）に示すように、ノズルＮが閉塞体２を挿通した状態となる。
【００２０】
続いて、前記ノズルＮから収容体１内へと口紅Ｌを注入するのである。このとき、前記口紅Ｌは溶けた状態でノズルＮを経て収容体１内に注入・充填されるのであり、注入時の口紅Ｌの温度は８０〜９０℃程度で、その後、冷却されることによって固体化し、図３（Ｃ）に示す状態となるのである。以上で、ケースＤに対する口紅Ｌの充填作業が完了する。すなわち、上記充填作業は、求められた品質を実現しつつ容易に行えるものとなっている。
【００２１】
なお、前記充填作業の完了後、前記挿通孔４を塞ぐようにしてもよい。この場合には、収容体１内の口紅Ｌをより機密性よく保持することが可能となる。
【００２２】
そして、前記ケースＤ内の口紅Ｌは、図３（Ｄ）に示すように、前記収容体１を開いて開状態とした後、例えば、口紅を塗布するためのブラシＢなどを収容体１の開口内に挿入し、このブラシＢに口紅Ｌをつけて使うことができるのである。
【００２３】
前記ケースＤでは、構造がシンプルであることから、低コストで製造できるのである。
【００２４】
また、従来の口紅用ケースは、口紅をケース本体内に収容していたのであり、このケース本体にキャップ体を被せてある状態では口紅の色が確認できず、また、キャップを外したとしても、前記回動部を回動操作して口紅を外部に露出させた状態とするまで、口紅の色などの確認が困難であった。さらに、口紅の残量の確認は、前記回動部を回動操作して、口紅が全て外側から見える状態としなければ困難であり、その確認作業に手間がかかることとなっていた。これに対して、本実施例のケースＤは、前記収容体１を透明または半透明の材料を用いて形成してあることから、前記閉状態としたままで、外部から口紅Ｌの色や残量などを確認できるのである。
【００２５】
ここで、図４（Ａ），（Ｂ）および図５に示すように、前記収容体１および閉塞体２を別体として成形するのではなく、前記ヒンジ部３を介して収容体１に閉塞体２が連設された状態となるように両者１，２を一体に成形してもよい。
【００２６】
図６（Ａ）および（Ｂ）は、本発明の第二実施例に係る閉状態および開状態のケースＤ２  の構成を概略的に示す斜視図、図７は、前記ケースＤ２  の構成を概略的に示す斜視図である。なお、上記実施例に示したものと同一構造の部材については同じ符号を付し、その説明は省略する。
前記ケースＤ２  は、第一実施例のケースＤに比して、前記収容体１が、一端側が開口し、他端側が閉塞された筒形状をしているのではなく、両端がともに閉塞された筒形状をしており、その一側壁に、口紅Ｌを収容する凹入部５が形成されている点で主として異なるのであり、言い換えれば、ケースＤ２  の前記収容体１は、中空のブロック（ボックス）状をしており、一側壁に口紅を収容する凹入部５が形成されているのである。
【００２７】
前記収容体１は、透明または半透明の材料（例えば、合成樹脂）からなり、前記係止部１ａを凹入部５の（収容体１の一側壁の）周縁部に有している。
【００２８】
前記凹入部５は、ほぼドーム状（半球面状）をしている。
【００２９】
そして、上記の構成からなるケースＤ２  では、前記収容体１における凹入部５内のみに口紅Ｌが収容されることとなる。
【００３０】
なお、ケースＤ２  の他の構成やケースＤ２  に対する口紅Ｌの注入方法、口紅Ｌの使用時のケースＤ２  の作動については上記第一実施例に示したものと同様であることから、その説明については省略する。ここで、図６（Ａ），（Ｂ）および図７には、収容体１および閉塞体２が一体成形されたものを示しているが、このような構成に限るものではなく、前記収容体１および閉塞体２が別体に成形されていてもよい。
【００３１】
上記の構成からなるケースＤ２  によっても、上記第一実施例のケースＤと同様の効果を得ることができる。
【００３２】
なお、図８（Ａ），（Ｂ）および図９に示すように、前記収容体１の外径と閉塞体２の外径とをほぼ同じとしてもよく、また、前記凹入部５の深さおよび形状は任意に設定できるのである。
【００３３】
図１０（Ａ）および（Ｂ）は、本発明の第三実施例に係る閉状態および開状態のケースＤ３  の構成を概略的に示す斜視図である。なお、上記二つの実施例に示したものと同一構造の部材については同じ符号を付し、その説明は省略する。
前記ケースＤ３  は、第二実施例のケースＤ２  に比して、前記収容体１の一側壁に前記凹入部５が複数（本実施例では３つ）設けられており、また、前記収容体１の一側壁および／またはこの一側壁に対向する前記閉塞体２の側壁部に、口紅用ブラシＢを収容するための収容部６が形成されている点で主として異なる。
【００３４】
詳しくは、前記収容体１は、中空でほぼ直方体形状または立方体形状をしており、その下側壁に３つの凹入部５，５，５が設けられているのである。また、収容体１の下側壁の周縁部には、前記係止部１ａが設けられている。
【００３５】
前記閉塞体２は、前記収容体１と同様に、中空でほぼ直方体形状または立方体形状をしており、その上側壁部に前記収容部６が設けられているのである。また、閉塞体２には、各収容体１に対応する挿通孔４，４が設けられている。
【００３６】
なお、ケースＤ３  の他の構成やケースＤ３  に対する口紅Ｌの注入方法、口紅Ｌの使用時のケースＤ３  の作動については上記第一実施例に示したものと同様であることから、その説明については省略する。
【００３７】
上記の構成からなるケースＤ３  によれば、上記第一実施例のケースＤによって得られる効果に加えて、複数種類の口紅Ｌを収容でき、また、口紅Ｌを塗布するためのブラシＢをも収容できることから、機能性・利便性等の面でさらなる向上を図ることが可能となるという効果をもが得られる。
【００３８】
なお、前記ケースＤ３  において、収容体１を中空でほぼ直方体形状または立方体形状とし、その下側壁に凹入部５を設けてあるが、このような構成に限られない。例えば、図１１に示すように、前記収容体１を、前記凹入部５を有するほぼプレート状またはシート状とし、上方に突出する前記凹入部５が外部に露出するように構成してもよい。また、図１２に示すように、前記閉塞体２を、ほぼプレート状またはシート状としてもよい。この場合、前記ブラシＢを前記収容体１に収容するように構成してもよい。
【００３９】
また、上記第一実施例のケースＤにおいて、図１３に示すように、収容体１の側面から閉塞体２の側面にかけて溝７を設け、この溝７内に前記ブラシＢを着脱自在に嵌め込める（収容できる）ように構成してもよい。この場合には、前記溝７内にブラシＢを嵌め込むことにより、収容体１および閉塞体２がロックされ、不意に収容体１が閉塞体２に対してヒンジ部３を中心に折れ曲がることを防止することができる。前記溝７は、収容体１および閉塞体２のそれぞれの側面において、前記ヒンジ部３を避けた位置に設ければよい。また、前記溝７の一部に広がり部分７ａを設けることにより、溝７内に嵌め込まれたブラシＢを取り出しやすくすることができる。また、上記の溝７を第二実施例のケースＤ２  および第三実施例のケースＤ３  に設けてもよいことはいうまでもない。
【００４０】
【発明の効果】
上記の構成によれば、構造がシンプルであることから、低コストで製造できる口紅用容器またはケースを提供することが可能となる。
【００４１】
また、従来の口紅用ケースは、口紅をケース本体内に収容していたのであり、このケース本体にキャップ体を被せてある状態では口紅の色が確認できず、また、キャップを外したとしても、前記回動部を回動操作して口紅を外部に露出させた状態とするまで、口紅の色などの確認が困難であった。さらに、口紅の残量の確認は、前記回動部を回動操作して、口紅が全て外側から見える状態としなければ困難であり、その確認作業に手間がかかることとなっていた。これに対して、本発明のケースは、前記収容体を透明または半透明の材料を用いて形成してあることから、前記閉状態としたままで、外部から口紅の色や残量などを確認できるのである。
【図面の簡単な説明】
【図１】（Ａ）および（Ｂ）は、本発明の第一実施例に係る閉状態および開状態の口紅用容器またはケースの構成を概略的に示す斜視図である。
【図２】上記実施例の構成を概略的に示す縦断面図である。
【図３】（Ａ）および（Ｂ）は、口紅の充填作業の構成を概略的に示す説明図、（Ｃ）は、口紅を充填した状態の口紅用容器またはケースの構成を概略的に示す説明図、（Ｄ）は、口紅の使用時における口紅用容器またはケースの構成を概略的に示す説明図である。
【図４】（Ａ）および（Ｂ）は、収容体および閉塞体が一体成形された前記口紅用容器またはケースの閉状態および開状態の構成を概略的に示す斜視図である。
【図５】前記口紅用容器またはケースの構成を概略的に示す縦断面図である。
【図６】（Ａ）および（Ｂ）は、本発明の第二実施例に係る閉状態および開状態の口紅用容器またはケースの構成を概略的に示す斜視図である。
【図７】上記実施例の構成を概略的に示す縦断面図である。
【図８】（Ａ）および（Ｂ）は、変形例に係る前記口紅用容器またはケースの閉状態および開状態の構成を概略的に示す斜視図である。
【図９】上記実施例の構成を概略的に示す縦断面図である。
【図１０】（Ａ）および（Ｂ）は、本発明の第三実施例に係る閉状態および開状態の口紅用容器またはケースの構成を概略的に示す斜視図である。
【図１１】変形例に係る前記口紅用容器またはケースの構成を概略的に示す正面図である。
【図１２】他の変形例に係る前記口紅用容器またはケースの構成を概略的に示す正面図である。
【図１３】側面に溝を設けた第一実施例に係る口紅用容器またはケースの構成を概略的に示す側面図である。
【符号の説明】
１…収容体、２…閉塞体、３…ヒンジ部、Ｄ…口紅用容器またはケース、Ｌ…口紅。
【図１】
2004344572.tif 000003
【図２】
2004344572.tif 000004
【図３】
2004344572.tif 000005
【図４】
2004344572.tif 000006
【図５】
2004344572.tif 000007
【図６】
2004344572.tif 000008
【図７】
2004344572.tif 000009
【図８】
2004344572.tif 000010
【図９】
2004344572.tif 000011
【図１０】
2004344572.tif 000012
【図１１】
2004344572.tif 000013
【図１２】
2004344572.tif 000014
【図１３】
2004344572.tif 000015